(57)【特許請求の範囲】
【請求項１】
電気機器を収納する筐体本体と、この筐体本体の開口部を覆う観音開きの両扉とを備え、
この両扉は、先に閉じられる一方扉の端部に、後に閉じられる他方扉の端部を外側から重ね合わせて閉状態となる両扉式の電気機器収納用箱であって、
前記一方扉の端部には、筐体上下方向に延び、かつ筐体奥行方向に凹む溝部を形成するとともに、
この溝部の上下端部の少なくとも一方の端部には、筐体奥行方向に傾斜させた傾斜面を設け、さらに前記傾斜面を、一方扉の正面視において一方扉側に向かって低くなるように、左右方向に傾斜させたことを特徴とする両扉式の電気機器収納用箱。
【請求項２】
前記傾斜面は、一方扉の端部に向かって下方へ傾斜していることを特徴とする請求項１記載の両扉式の電気機器収納用箱。
【請求項３】
前記他方扉の端部には、前記溝部に嵌合する折曲辺を形成するとともに、
この折曲辺には、前記傾斜面の形状に対応した傾斜辺を設けたことを特徴とする請求項１または２記載の両扉式の電気機器収納用箱。
【請求項４】
前記他方扉の端部には、両扉閉塞時に一方扉の溝部と当接する戸当たり部材を設けたことを特徴とする請求項１記載の両扉式の電気機器収納用箱。
【発明の詳細な説明】
【技術分野】
【０００１】
本発明は、観音開きの両扉を備えた両扉式の電気機器収納用箱に関するものである。
【背景技術】
【０００２】
電気機器を収納するための電気機器収納用箱としては、筐体本体の開口部を覆う観音開きの両扉を備えたものがある。このような両扉式のものにおいては、先に閉じられる一方扉の端部に、後に閉じられる他方扉の端部を外側から重ね合わせることで閉状態になるものとしている。ここで、先に閉じられる一方扉の端部には、上下にそれぞれ形成された略コ字状の水切金具と、両水切金具間に亘って筐体上下に延びるよう形成された凹陥部とからなる溝部が設けられている。これにより、両扉が重なり合う合わせ部から水が浸入しても、水切金具と凹陥部とを水滴が伝わり、筐体内への水の浸入を防止できるものとしている（特許文献１）。
【０００３】
ここで前記の構造によれば、上下の水切金具はそれぞれ略コ字状に形成されているため、上側の水切金具においては、伝わった水滴が水切金具の下片に留まる、または留まっていた水滴が下片から落下し、下側の水切金具上で跳ねて飛散する問題があった。さらに下側の水切金具においては、その上片に水滴が留まり、排水がスムーズに行われない点も問題とされていた。
【先行技術文献】
【特許文献】
【０００４】
【特許文献１】特許第４６０５７０９号公報
【発明の概要】
【発明が解決しようとする課題】
【０００５】
本発明の目的は前記した従来の問題点を解決し、両扉の合わせ部から浸入した水を速やかに筐体外へと排水することができる両扉式の電気機器収納用箱を提供することである。
【課題を解決するための手段】
【０００６】
上記課題を解決するためになされた本発明は、電気機器を収納する筐体本体と、この筐体本体の開口部を覆う観音開きの両扉とを備え、この両扉は、先に閉じられる一方扉の端部に、後に閉じられる他方扉の端部を外側から重ね合わせて閉状態となる両扉式の電気機器収納用箱であって、前記一方扉の端部には、筐体上下方向に延び、かつ筐体奥行方向に凹む溝部を形成するとともに、この溝部の上下端部の少なくとも一方の端部には、筐体奥行方向に傾斜させた傾斜面を設け、さらに前記傾斜面を、一方扉の正面視において一方扉側に向かって低くなるように、左右方向に傾斜させたことを特徴とするものである。
【０００７】
【０００８】
請求項２記載の発明は、請求項１記載の両扉式の電気機器収納用箱において、前記傾斜面は、一方扉の端部に向かって下方へ傾斜していることを特徴とするものである。
【０００９】
請求項３記載の発明は、請求項１または２記載の両扉式の電気機器収納用箱において、前記他方扉の端部には、前記溝部に嵌合する折曲辺を形成するとともに、この折曲辺には、前記傾斜面の形状に対応した傾斜辺を設けたことを特徴とするものである。
【００１０】
請求項４記載の発明は、請求項１記載の両扉式の電気機器収納用箱において、前記他方扉の端部には、両扉閉塞時に一方扉の溝部と当接する戸当たり部材を設けたことを特徴とするものである。
【発明の効果】
【００１１】
本発明に係る両扉式の電気機器収納用箱は、一方扉の端部に、筐体上下方向に延びかつ筐体奥行方向に凹む溝部を形成するとともに、この溝部の上下端部の少なくとも一方に筐体奥行方向に傾斜させた傾斜面を設けたものである。これにより、上端に傾斜面を設けるものとすれば、溝部の上部に伝わった水滴が傾斜面に沿って下方に流れるため、水切金具の下片に水滴が留まったり、または水滴が下片から落下する問題を回避できるものとなる。さらに下端に傾斜面を設けるものとすれば、溝部の下部に流れてきた水を傾斜面に沿って下方にスムーズに排水することができるため、水切金具の上片に水滴が留まり錆が発生する問題も回避できる。このように、傾斜面を設けることで、両扉の合わせ部から浸入した水を速やかに筐体外へと排水することができる作用効果を奏するものとなる。
【００１２】
従来のように溝部を筐体奥行方向に凹ませて形成した場合、塗装時にはその角部の隅にエアポケットが生じてしまい、塗装がされない場合がある。そこで、傾斜面を左右方向にさらに傾けることで塗料が流れ易いものとして、前記エアポケットによる塗装不良の問題を回避することができる。また、請求項２の構成により、溝部内に侵入した水滴は筐体外にそのまま排水されるため筐体内への水の浸入を防止できる
【００１３】
請求項３に係る発明は、他方扉の端部には、溝部に嵌合する折曲辺を形成するとともに、この折曲辺には、傾斜面の形状に対応した傾斜辺を設けたものである。これにより、両扉を互いに隙間なく閉状態とすることができ、先に閉じられる一方扉に形成された水切金具に伝わった水滴が、他方扉内に浸入することを防止できる。さらに傾斜辺を形成することで他方扉の強度を高めることができるものとなる。
【００１４】
請求項４に係る発明は、両扉閉塞時に一方扉の溝部と当接する戸当たり部材を他方扉の端部に設けたものである。これにより、両扉が閉状態となった時や輸送時等に、扉同士が当接して傷が生じることを防止できるものとなる。
【図面の簡単な説明】
【００１５】
【図１】本実施形態を示す全体斜視図である。
【図２】図１を異なる角度からみた斜視図である。
【図３】両扉を裏面からみた正面図である。
【図４】左扉の正面図及び斜視図である。
【図５】溝部の上下端部を示す斜視図である。
【図６】水切金具の斜視図である。
【図７】左扉の水切金具溶接前を示す斜視図である。
【図８】両扉の閉状態を示す斜視図及びＡ−Ａ断面図である。
【図９】両扉の上側を裏面からみた斜視図及び正面図である。
【図１０】図９の拡大図である。
【発明を実施するための形態】
【００１６】
以下に本発明の好ましい実施形態を示す。なお、本明細書中における上下、左右、前後方向は図１に示す方向を指すものとする。
図１及び図２において、１は筐体本体、２は左扉２ａと右扉２ｂとからなる観音開きの両扉である。両扉２は、先に閉じられる左扉２ａの右端部に対し、後に閉じられる右扉２ｂの左端部を外側から重ね合わせることにより閉状態となる。筐体本体１の開口部３の周縁には水切部４が形成されており、この水切部４には、図３のように左扉２ａの裏面に略コ字状に設けられ、かつ右扉２ｂの裏面に略ロ字状にそれぞれ設けられたパッキン５が当接することで、筐体内への水の浸入を防止している。なお、右扉２ｂに設けられたパッキン５のうち、図３中の５ａで示すパッキンには、後述する水切金具１１の前面及び凹陥部１２の前方端部が当接する。また図３及び図４のように、左扉２ａには水切部４の裏面に係止される鎖錠棒６を上下動させるハンドル７が設けられ、さらに右扉２ｂには、図１中の左扉２ａに形成された係止片８を挟むクランプ式のハンドル９が設けられている。そしてこの両ハンドル７、９によって両扉２が閉状態でロックされる。
【００１７】
図１に示すように、左扉２ａの右端部には、筐体上下方向に延びかつ筐体奥行方向（後方）に凹む溝部１０が形成されている。この溝部１０は、左扉２ａの上下端部にそれぞれ設けられた水切金具１１と、両水切金具１１間に亘って筐体上下に延設された水平断面略コ字状の凹陥部１２とにより構成される。この溝部１０を設けることにより、両扉２が重なり合う合わせ部から水が浸入しても、水切金具１１と凹陥部１２とを水滴が伝わり、筐体内への水の浸入を防止できるものとしている。ここで水切金具１１は、図５及び図６のように左扉２ａに溶接される取付片１３と、取付片１３と連なる水平片１４と、水平片の前方端部から垂直方向に延びつつ、取付片１３の右端部とも連なる垂直片１５とを有する。さらにこの水切金具１１には、図７の状態から凹陥部１２の端部と溶接により接続され、かつ筐体後方に傾斜させて構成される傾斜面１６を設けるものとした。なお、この傾斜面１６は溝部１０の上下端部の少なくとも一方に設けられていれば良く、また上側の傾斜面１６は後方かつ下方に向けて傾斜し、下側の傾斜面１６は後方かつ上方に向けて傾斜している。さらに、図８のように、上側の水切金具１１においては、水平片１４により筐体本体１に形成された水切部４の上方を覆い、傾斜面１６により水切部４の下方を覆う構造としている。
【００１８】
以上のように、水切金具１１に傾斜面１６を形成することで、上側の水切金具１１に伝わった水滴は傾斜面１６に沿って下方に流れるため、従来生じていた水切金具の下片に水滴が留まったり、または水滴が下片から落下する問題を回避できるものとなる。さらに、凹陥部１２を介して下側の水切金具１１に伝わった水滴は、さらに傾斜面１６に沿って下方にスムーズに排水することができるものとなるため、従来生じていた水切金具の上片に水滴が留まり錆が発生する問題も回避できる。このように、上下の水切金具１１に傾斜面１６を設けることで、両扉２の合わせ部から浸入した水を速やかに筐体外へと排水することができるものとなる。
【００１９】
さらに、前述の傾斜面１６は、左扉２ａの正面視においてさらに左右方向に傾斜させている。より詳細には、下側の水切金具１１の傾斜面１６を、正面視で左下がりとなるよう傾けて、すなわち一方扉側に向かって低くなるように、左右方向に傾斜させて形成している。従来は、このような傾斜面１６は設けられておらず、下側の水切金具の上片が筐体後方へ水平に凹むように形成されていた。したがって、塗装時には上片と凹陥部との接続箇所である角部の隅にエアポケットが生じてしまい、塗装がされない場合があった。そこで、本実施形態のように傾斜面１６を左右方向にさらに傾けることで塗料が流れ易いものとして、エアポケットによる塗装不良の問題を回避することができるものとしている。なお、本実施形態では、傾斜面１６を左扉２ａの端部に向かって下方に傾けて形成することで、正面視で左下がりとなるように傾斜面１６が設けられる。これにより水滴は筐体外にそのまま排水されるため、筐体内への水の浸入を防止できるが、その他に右下がりであっても差し支えず、斯かる場合でも右扉２ｂに設けられたパッキン５ａにより防水されるため、水滴が筐体内へ浸入することもない。
【００２０】
図１のように、右扉２ｂの左端部には、溝部１０に嵌合する折曲辺１７が形成されており、さらに折曲辺１７には、左扉２ａに形成された傾斜面１６の形状に対応した傾斜辺１８が設けられている。これにより、両扉２を互いに隙間なく閉状態とすることができ、左扉２ａに形成された水切金具１１に伝わった水滴が、右扉２ｂ内に浸入することを防止できる。さらに傾斜辺１８を形成することで、右扉２ｂの強度を高めることができるものとなる。なお、水切金具１１の垂直片１５の前面と、凹陥部１２の前方端部とは、略同一の前後位置となるよう形成することが好ましく、これにより右扉２ｂのパッキン５ａを隙間なく設けることができる。
【００２１】
また右扉２ｂの左端部、より詳細には折曲辺１７のさらに後方位置には、両扉２閉塞時に左扉２ａの凹陥部１２と当接する戸当たり部材としてのブッシュ１９を設けている。これにより、両扉２が閉状態となった時や輸送時等に、扉２ａ、２ｂ同士が当接して傷が生じることを防止できるものとしている。
【００２２】
ここで、上側の水切金具１１においては、取付片１３が水平片１４及び垂直片１５と一連に形成されているため、図９及び図１０のようにパッキン５ｂが取付片１３を乗り越えるようにして貼付されることとなる。これにより、パッキン５ｂと取付片１３との間にわずかな隙間が生じ、この隙間から水が筐体内へ侵入する恐れがある。そこで本実施形態では、取付片１３の上部及び水平片１４の左端部をさらに左方向に延設した、垂直断面略Ｌ字状の延設部２０を形成するとともに、この延設部２０の下方端部には、右上向きに傾斜する斜辺２１を形成するものとして、延設部２０、斜辺２１を伝わって前記の隙間から直接筐体内に水が浸入することを防止できるものとしている。なお、下側の水切金具１１についても、図６のように延設部２０及び斜辺２１を形成して、筐体内への水の浸入を防止することが好ましい。
【符号の説明】
【００２３】
１  筐体本体
２  両扉
２ａ  左扉
２ｂ  右扉
３  開口部
４  水切部
５  パッキン
６  鎖錠棒
７  ハンドル
８  係止片
９  ハンドル
１０  溝部
１１  水切金具
１２  凹陥部
１３  取付片
１４  水平片
１５  垂直片
１６  傾斜面
１７  折曲辺
１８  傾斜辺
１９  ブッシュ
２０  延設部
２１  斜辺
【図１】
0006653951.tif 000002
【図２】
0006653951.tif 000003
【図３】
0006653951.tif 000004
【図４】
0006653951.tif 000005
【図５】
0006653951.tif 000006
【図６】
0006653951.tif 000007
【図７】
0006653951.tif 000008
【図８】
0006653951.tif 000009
【図９】
0006653951.tif 000010
【図１０】
0006653951.tif 000011